(57)【要約】【課題】ハウジングに対する体積比の低減を図ること。【解決手段】取付金具５は、取付部材５０を備える。取付部材５０は、複数のコンタクト２を有するコネクタ１０１のハウジング１に取り付けられる。ハウジング１は、底壁１１と、底壁１１を囲む周壁１２と、を有する。取付部材５０は、第１取付片５１と、第２取付片５２と、を有する。第１取付片５１は、周壁１２の内側面の少なくとも一部を覆う。第２取付片５２は、第１取付片５１と繋がっており、周壁１２の外側面と内側面とを繋ぐ繋ぎ面の少なくとも一部を覆う。取付部材５０は、周壁１２を挟んだ第１取付片５１の反対側に位置する部位を有していない。【選択図】図１
2018133334.tif 000002
【特許請求の範囲】
【請求項１】
複数のコンタクトを有するコネクタのハウジングに取り付けられる取付部材を備え、
前記ハウジングは、
底壁と、
前記底壁を囲む周壁と、を有し、
前記取付部材は、
前記周壁の内側面の少なくとも一部を覆う第１取付片と、
前記第１取付片と繋がっており、前記周壁の外側面と前記内側面とを繋ぐ繋ぎ面の少なくとも一部を覆う第２取付片と、を有し、かつ、
前記周壁を挟んだ前記第１取付片の反対側に位置する部位を有していない
取付金具。
【請求項２】
前記第１取付片は、前記底壁の厚さ方向において前記底壁を貫通しており、
前記取付部材は、前記第１取付片の前記底壁側の一端から前記底壁に沿って延びる第３取付片を更に有する
請求項１記載の取付金具。
【請求項３】
前記第３取付片は、平面視で前記底壁に沿って窪んだ凹所を有する
請求項２記載の取付金具。
【請求項４】
前記取付部材は、前記第１取付片及び前記第２取付片を１つの組片として、前記組片を複数有する
請求項１乃至３のいずれか１項に記載の取付金具。
【請求項５】
前記取付部材は、前記組片を２つ有し、
前記２つの組片は、前記周壁のうち前記複数のコンタクトを配列方向に並んだ状態で保持する一対の第１周壁にそれぞれ設けられる
請求項４記載の取付金具。
【請求項６】
前記取付部材は、前記組片を３つ有し、
前記３つの組片は、前記周壁のうち、
前記複数のコンタクトを配列方向に並んだ状態で保持する一対の第１周壁と、
前記一対の第１周壁の端部同士を繋ぐ第２周壁とに、それぞれ設けられる
請求項４記載の取付金具。
【請求項７】
前記取付部材は、基板に接合される接合部を更に有し、
前記接合部は、前記第１取付片の前記底壁側の一端に設けられる
請求項１乃至６のいずれか１項に記載の取付金具。
【請求項８】
請求項１乃至７のいずれか１項に記載の取付金具と、
前記ハウジングと、
前記複数のコンタクトと、
を備えるコネクタ。
【請求項９】
前記ハウジングは、前記底壁の厚さ方向に窪み、前記取付部材の一部を前記ハウジングから露出させる露出部を更に有する
請求項８記載のコネクタ。
【請求項１０】
前記ハウジングは、前記底壁と、前記取付部材のうち前記底壁を貫通して前記周壁の内側に露出する部位との境界を覆う肉厚部を更に有する
請求項８又は９に記載のコネクタ。
【請求項１１】
前記ハウジングは、前記繋ぎ面から前記ハウジングの厚さ方向に突出し、前記第２取付片の前記外側面側の一端と対向する突壁を更に有する
請求項８乃至１０のいずれか１項に記載のコネクタ。
【請求項１２】
請求項８乃至１１のいずれか１項に記載のコネクタとしてのソケットに接続される他コネクタとしてのヘッダであって、
前記ソケットの前記複数のコンタクトに電気的に接続される複数の他コネクタ側コンタクトを有する
ヘッダ。
【請求項１３】
請求項８乃至１１のいずれか１項に記載のコネクタと、
前記複数のコンタクトに電気的に接続される複数の他コネクタ側コンタクトを有する他コネクタと、を備える接続システム。
【発明の詳細な説明】
【技術分野】
【０００１】
本発明は、一般に取付金具、コネクタ、ヘッダ、及び接続システムに関し、より詳細には、コネクタのハウジングに取り付けられる取付金具、コネクタ、ヘッダ、及び接続システムに関する。
【背景技術】
【０００２】
従来、電気部品同士を電気的に接続するためのコネクタが知られており、例えば特許文献１に開示されている。特許文献１に記載のヘッダ（コネクタ）は、絶縁性の合成樹脂によって全体的に矩形状に成形されたヘッダハウジング（ハウジング）を備えている。ヘッダハウジングには、複数のヘッダ側端子（コンタクト）が、長手方向に等しいピッチをもって配設されている。また、ヘッダハウジングの長手方向両端部には、ヘッダ側保持金具（取付金具）が配設されている。複数のヘッダ側端子は、ヘッダがソケット（他コネクタ）に嵌合することで、複数のソケット側端子（他コネクタ側コンタクト）に電気的に接続される。
【先行技術文献】
【特許文献】
【０００３】
【特許文献１】国際公開第２０１３／０３１１３９号
【発明の概要】
【発明が解決しようとする課題】
【０００４】
上記従来例のような取付金具では、ハウジングに対する体積比の低減を図ることが望まれている。
【０００５】
本発明は、上記の点に鑑みてなされており、ハウジングに対する体積比の低減を図ることのできる取付金具、コネクタ、ヘッダ、及び接続システムを提供することを目的とする。
【課題を解決するための手段】
【０００６】
本発明の一態様の取付金具は、取付部材を備える。前記取付部材は、複数のコンタクトを有するコネクタのハウジングに取り付けられる。前記ハウジングは、底壁と、前記底壁を囲む周壁と、を有する。前記取付部材は、第１取付片と、第２取付片と、を有する。前記第１取付片は、前記周壁の内側面の少なくとも一部を覆う。前記第２取付片は、前記第１取付片と繋がっており、前記周壁の外側面と前記内側面とを繋ぐ繋ぎ面の少なくとも一部を覆う。前記取付部材は、前記周壁を挟んだ前記第１取付片の反対側に位置する部位を有していない。
【０００７】
本発明の一態様のコネクタは、上記の取付金具と、前記ハウジングと、前記複数のコンタクトと、を備える。
【０００８】
本発明の一態様のヘッダは、上記のコネクタとしてのソケットに接続される他コネクタとしてのヘッダである。前記ヘッダは、前記ソケットの前記複数のコンタクトに電気的に接続される複数の他コネクタ側コンタクトを有する。
【０００９】
本発明の一態様の接続システムは、上記のコネクタと、他コネクタと、を備える。前記他コネクタは、前記複数のコンタクトに電気的に接続される複数の他コネクタ側コンタクトを有する。
【発明の効果】
【００１０】
本発明は、ハウジングに対する体積比の低減を図ることができる。
【図面の簡単な説明】
【００１１】
【図１】図１は、実施形態に係るコネクタの斜視図である。
【図２】図２は、同上のコネクタの前後を反転させた状態の斜視図である。
【図３】図３は、同上のコネクタの前面図である。
【図４】図４は、同上のコネクタの後面図である。
【図５】図５Ａは、同上のコネクタからハウジングを省略した状態の斜視図である。図５Ｂは、同上のコネクタにおけるコンタクトの断面図である。
【図６】図６Ａ、図６Ｂは、それぞれ同上のコネクタにおける、取付金具の斜視図である。
【図７】図７は、実施形態に係る他コネクタの斜視図である。
【図８】図８は、同上の他コネクタの前後を反転させた状態の斜視図である。
【図９】図９は、同上の他コネクタの前面図である。
【図１０】図１０は、同上の他コネクタの後面図である。
【図１１】図１１Ａは、同上の他コネクタから他コネクタ側ハウジングを省略した状態の斜視図である。図１１Ｂは、同上の他コネクタにおける他コネクタ側コンタクトの断面図である。
【図１２】図１２Ａは、同上の他コネクタにおける、接続端子の斜視図である。図１２Ｂは、同上の他コネクタにおける、接続端子の平面図である。図１２Ｃは、同上の他コネクタにおける、接続端子の側面図である。
【図１３】図１３は、実施形態に係る接続システムにおいて、コネクタに他コネクタが接続される前の状態を示す断面図である。
【図１４】図１４は、同上の接続システムにおいて、コネクタに他コネクタが接続された状態を示す断面図である。
【図１５】図１５Ａは、同上の接続システムにおいて、接続端子が取付金具に接触する前の状態を示す一部省略した断面図である。図１５Ｂは、同上の接続システムにおいて、接続端子が取付金具に接触した状態を示す一部省略した断面図である。
【図１６】図１６は、実施形態の第１変形例に係る他コネクタの斜視図である。
【図１７】図１７は、同上の他コネクタの前後を反転させた状態の斜視図である。
【図１８】図１８は、実施形態の第２変形例に係る他コネクタの前後を反転させた状態の斜視図である。
【図１９】図１９Ａは、実施形態の第３変形例に係る他コネクタにおける、接続端子の斜視図である。図１９Ｂは、同上の他コネクタにおける、接続端子の平面図である。図１９Ｃは、同上の他コネクタにおける、接続端子の側面図である。
【図２０】図２０Ａは、実施形態の第４変形例に係る他コネクタにおける、接続端子の斜視図である。図２０Ｂは、同上の他コネクタにおける、接続端子の平面図である。図２０Ｃは、同上の他コネクタにおける、接続端子の側面図である。
【図２１】図２１Ａは、実施形態の第５変形例に係る他コネクタにおける、接続端子の斜視図である。図２１Ｂは、同上の他コネクタにおける、接続端子の平面図である。図２１Ｃは、同上の他コネクタにおける、接続端子の側面図である。
【図２２】図２２Ａは、実施形態の第６変形例に係る他コネクタにおける、接続端子の斜視図である。図２２Ｂは、同上の他コネクタにおける、接続端子の平面図である。図２２Ｃは、同上の他コネクタにおける、接続端子の側面図である。
【図２３】図２３は、実施形態の第７変形例に係る他コネクタにおいて、前後を反転した状態を示す一部省略した斜視図である。
【図２４】図２４は、実施形態の第８変形例に係る他コネクタの斜視図である。
【図２５】図２５は、同上の他コネクタの前後を反転させた状態の斜視図である。
【図２６】図２６は、同上の他コネクタの前面図である。
【図２７】図２７は、同上の他コネクタの後面図である。
【図２８】図２８は、実施形態の第９変形例に係る他コネクタの斜視図である。
【図２９】図２９は、同上の他コネクタの前後を反転させた状態の斜視図である。
【図３０】図３０は、実施形態の第１０変形例に係る他コネクタの前後を反転させた状態の斜視図である。
【図３１】図３１は、実施形態の第１１変形例に係る他コネクタにおいて、前後を反転した状態を示す一部省略した斜視図である。
【図３２】図３２Ａは、実施形態の変形例に係るコネクタを示す一部省略した斜視図である。図３２Ｂは、同上のコネクタにおける取付金具の斜視図である。
【発明を実施するための形態】
【００１２】
（１）概要
以下、実施形態の取付金具５、及び取付金具５が取り付けられたコネクタ１０１について図１〜図６Ｂを用いて説明する。本実施形態のコネクタ１０１は、例えばプリント配線板やフレキシブルプリント配線板などの基板７（図１３参照）に取り付けられる。コネクタ１０１は、例えばスマートフォン等の携帯端末に搭載されている複数の基板７の間を電気的に接続するために用いられる。もちろん、コネクタ１０１の用途を限定する趣旨ではなく、コネクタ１０１は、例えばカメラモジュール等の携帯端末以外の電子機器に用いられてもよい。また、コネクタ１０１は、複数の基板７の間を電気的に接続する用途に限られず、例えば基板７とディスプレイとの間や、基板７とバッテリとの間など、複数の部品の間を電気的に接続する用途であればよい。
【００１３】
コネクタ１０１は、ハウジング１と、複数のコンタクト２と、取付金具５と、を備えている。ハウジング１は、複数のコンタクト２を保持する。ハウジング１は、底壁１１と、底壁１１を囲む周壁１２と、を有している。周壁１２は、一対の第１周壁１２１と、一対の第２周壁１２２とで構成されている。一対の第１周壁１２１は、少なくとも一方が複数のコンタクト２を配列方向（第１周壁１２１の長手方向）に並んだ状態で保持する。一対の第２周壁１２２は、それぞれ一対の第１周壁１２１の端部同士を繋ぐ。
【００１４】
ハウジング１の厚さ方向の寸法は、例えば数ｍｍ以下である。また、ハウジング１の長手方向の寸法は、例えば十数ｍｍである。また、ハウジング１の短手方向の寸法は、例えば数ｍｍである。更に、複数のコンタクト２の並ぶ間隔、つまりピッチは、例えばコンマ数ｍｍである。本実施形態では、複数のコンタクト２は等ピッチで並んでいるが、不揃いのピッチで並んでいてもよい。
【００１５】
取付金具５は、コネクタ１０１のハウジング１に取り付けられる取付部材５０を備えている。取付部材５０は、第１取付片５１と、第２取付片５２と、を有している。第１取付片５１は、周壁１２の内側面Ｓ１（図１５Ａ参照）の少なくとも一部を覆う。第２取付片５２は、第１取付片５１と繋がっており、周壁１２の外側面Ｓ２（図１５Ａ参照）と内側面Ｓ１とを繋ぐ繋ぎ面Ｓ３（図１５Ａ参照）の少なくとも一部を覆う。また、取付部材５０は、周壁１２を挟んだ第１取付片５１の反対側に位置する部位を有していない（図１５Ａ参照）。
【００１６】
つまり、本実施形態の取付金具５は、周壁１２を挟んだ第１取付片５１の反対側に位置する部位を有していないので、取付金具５のハウジング１に対する体積比の低減を図ることができる。
【００１７】
（２）詳細
以下、本実施形態のコネクタ１０１の構成について詳細に説明する。以下では、ハウジング１，１Ａの長手方向を左右方向（第１方向）、ハウジング１，１Ａの短手方向を上下方向（第２方向）、ハウジング１，１Ａの厚さ方向を前後方向（第３方向）として説明する。なお、図１〜図３１には、これらの方向（上、下、左、右、前、後）を表す矢印を示すが、これらの矢印は、単に説明を補助する目的で記載しているに過ぎず、実体を伴わない。また、上記の方向の規定は、本実施形態のコネクタ１０１及び他コネクタ１０２の使用形態を限定する趣旨ではない。
【００１８】
（２．１）全体構成
まず、本実施形態のコネクタ１０１の全体構成について詳細に説明する。本実施形態のコネクタ１０１は、ソケット（メスコネクタ）であって、ハウジング１と、複数のコンタクト２と、一対の取付金具５と、を備えている。取付金具５については、「（２．２）取付金具」にて詳細に説明する。
【００１９】
ハウジング１は、第１方向（左右方向）に長い扁平な直方体状であって、絶縁性を有する樹脂成形体である。本実施形態では、ハウジング１は、一対の取付金具５をインサート品とするインサート成形品である。ハウジング１は、底壁１１と、周壁１２と、台部１６と、を有している。底壁１１は、第１方向（左右方向）に長い板状であって、ハウジング１の底部を構成する。周壁１２は、底壁１１の周縁から前向きに突出しており、平面視で矩形枠状である。つまり、周壁１２は、底壁１１の周囲を囲むように構成されている。ここでは、「平面視」は、第３方向（前後方向）から見ることをいう。
【００２０】
具体的には、周壁１２は、一対の第１周壁１２１と、一対の第２周壁１２２とで構成されている。一対の第１周壁１２１は、周壁１２のうち第１方向に沿った一対の壁である。一対の第１周壁１２１の各々には、後述する複数の収納部１７にそれぞれ複数のコンタクト２が収納されることにより、複数のコンタクト２が一方向（左右方向）に並んだ状態で保持される。つまり、周壁１２には、複数のコンタクト２が設けられる。本実施形態では、一対の第１周壁１２１は、それぞれ４本のコンタクト２を保持している。
【００２１】
台部１６は、第１方向（左右方向）に長い直方体状であって、底壁１１の中央から前向きに突出している。底壁１１、周壁１２、及び台部１６で囲まれた部位は、他コネクタ１０２が嵌合する嵌合凹部１３を構成している。具体的には、嵌合凹部１３には、他コネクタ１０２の一対の第１周壁１２１Ａ（後述する）と、他コネクタ１０２の一対の第２周壁１２２Ａ（後述する）とが嵌合する。これにより、コネクタ１０１に他コネクタ１０２が接続される。
【００２２】
コンタクト２は、例えば銅合金などの金属材料から成る金属成形体である。また、コンタクト２には、金めっきが施されている。なお、コンタクト２には、金めっきが施されていなくてもよい。コンタクト２は、ばね片２４と、立ち上がり片２５と、立ち下がり片２６と、端子片２７と、を有しており、これらが一体に構成されている（図５Ｂ参照）。
【００２３】
ばね片２４は、先端が馬蹄形に湾曲しており、第２方向（上下方向）に弾性変形するように構成されている。つまり、ばね片２４は、嵌合凹部１３に他コネクタ１０２の複数の他コネクタ側コンタクト２Ａ（以下、原則、「コンタクト２Ａ」という）が挿入された状態で、対応するコンタクト２Ａに押される。これにより、ばね片２４は、対応するコンタクト２Ａに向かう向きの弾性力を発生するように構成されている。
【００２４】
立ち上がり片２５は、板状である。立ち上がり片２５の第１端（後端）は、ばね片２４と一体である。立ち上がり片２５は、嵌合凹部１３に他コネクタ１０２の複数のコンタクト２Ａが挿入された状態で、対応するコンタクト２Ａと接触するように構成されている。また、立ち上がり片２５は、ばね片２４に向かって突出する突起２５１と一体である。突起２５１は、他コネクタ１０２の複数のコンタクト２Ａが嵌合凹部１３に挿入された状態で、対応するコンタクト２Ａの突起２２１と第３方向（前後方向）に並び、かつ、突起２２１よりも前方に位置する（図１４参照）。つまり、突起２５１は、対応するコンタクト２Ａの突起２２１に引っ掛かることでロック機構を構成する。
【００２５】
立ち下がり片２６は、板状である。立ち下がり片２６の第１端（前端）は、逆Ｕ字状に湾曲しており、立ち上がり片２５の第２端（前端）と一体である。
【００２６】
端子片２７は、板状である。端子片２７は、立ち下がり片２６の第２端（後端）と一体である。また、端子片２７の先端は、第３方向の一端側（後側）において、ハウジング１から露出している。端子片２７の一面（後面）は、例えば半田付けにより基板７に接合される接合面となる。
【００２７】
複数のコンタクト２は、信号伝送用の信号端子３と、電源と電気的に接続される電源端子４とに大別される。本実施形態では、８本のコンタクト２のうち、信号端子３が４本、電源端子４が４本である。また、本実施形態では、一対の第１周壁１２１の各々に、２本の信号端子３と、２本の電源端子４とが配列方向（左右方向）に並んだ状態で設けられている。また、一対の第１周壁１２１の各々において、２本の信号端子３は、２本の電源端子４に挟まれるように設けられている。
【００２８】
本実施形態では、電源端子４は、３本の信号端子３を一方向（左右方向）に並べて一体とした形状である。つまり、本実施形態では、電源端子４の幅寸法（第１方向（左右方向）の寸法）を信号端子３の幅寸法よりも大きくしている。これにより、電源端子４のインピーダンスを信号端子３のインピーダンスよりも小さくし、電源端子４の定格電流を信号端子３の定格電流よりも大きくしている。また、電源端子４では、３つのばね片２４が第１方向（左右方向）に間隔を空けて立ち上がり片２５の第１端（後端）と一体である。また、電源端子４の端子片２７は、一端から第２方向（上下方向）における外向きに突出する２つの突片２７１と一体である。このため、電源端子４の端子片２７を例えば半田付けにより基板７に接合するときに、これら２つの突片２７１の間の領域に半田が広がり易く、フィレットが形成され易い。したがって、この構成では、電源端子４を基板７に対してより強固に接合することができる。
【００２９】
また、本実施形態では、第１方向（左右方向）から見て、信号端子３の断面の形状は、電源端子４の断面の形状と同一である。ここでいう「同一」は、「ほぼ同一」を含む表現である。したがって、製造上の誤差又はバラツキにより信号端子３及び電源端子４の各々の断面の形状が互いに僅かに異なるのは、許容範囲内の誤差である。
【００３０】
ハウジング１には、複数のコンタクト２と１対１に対応する複数（ここでは、８個）の収納部１７を有している。複数の収納部１７は、それぞれ底壁１１を厚さ方向（前後方向）に貫通している。複数のコンタクト２の各々は、後方から収納部１７に押し込まれることにより、収納部１７に収納されている。
【００３１】
複数の収納部１７は、台部１６を挟んだ第２方向（上下方向）の両側に二等分されて設けられている。台部１６の第２方向の両側にある複数の収納部１７は、いずれも第１方向（左右方向）に沿ってほぼ等間隔に並んで設けられている。ここで、台部１６の第２方向の第１側（上側）にある４つの収納部１７のうち、第１方向（左右方向）の両側にある２つの収納部１７には、それぞれコンタクト２として電源端子４が収納されている。また、台部１６の第２方向の第２側（下側）にある４つの収納部１７のうち、第１方向の両側にある２つの収納部１７にも、それぞれコンタクト２として電源端子４が収納されている。残りの４つの収納部１７には、それぞれコンタクト２として信号端子３が収納されている。
【００３２】
複数のコンタクト２の各々は、収納部１７に収納された状態で、一部が嵌合凹部１３に露出している。具体的には、複数のコンタクト２の各々のばね片２４の一部が、台部１６の内側から嵌合凹部１３に露出している。また、複数のコンタクト２の各々の立ち上がり片２５の一部が、第１周壁１２１の内側から嵌合凹部１３に露出している。したがって、コネクタ１０１に他コネクタ１０２を接続すると、複数のコンタクト２の各々の嵌合凹部１３に露出した部位が、他コネクタ１０２の対応するコンタクト２Ａと接触する。これにより、コネクタ１０１の複数のコンタクト２が、それぞれ他コネクタ１０２の複数のコンタクト２Ａと電気的に接続される。
【００３３】
（２．２）取付金具
次に、本実施形態のコネクタ１０１における取付金具５について図６Ａ、図６Ｂを用いて詳細に説明する。本実施形態では、取付金具５は、ハウジング１の第１方向（左右方向）の両端部にそれぞれ設けられている。以下の説明では、原則として、ハウジング１の第１方向の第１端（左端）に取り付けられる取付金具５を例として説明するが、ハウジング１の第１方向の第２端（右端）に取り付けられる取付金具５も同様の構成である。
【００３４】
取付金具５は、例えば銅合金などの金属材料から成る金属成形体である。取付金具５は、ハウジング１の強度を向上するために用いられる。取付金具５は、ハウジング１に取り付けられる取付部材５０として、第１取付片５１と、第２取付片５２と、第３取付片５３と、を有している。第１取付片５１は、第３方向（前後方向）に沿って長い矩形板状である。第１取付片５１は、取付部材５０がハウジング１に取り付けられた状態において、周壁１２の内側面Ｓ１の少なくとも一部を覆う。具体的には、第１取付片５１は、第３方向（前後方向）において底壁１１を貫通した状態でハウジング１に取り付けられており、第３方向に沿って周壁１２の内側面Ｓ１を覆っている（図１５Ａ、図１５Ｂ参照）。第１取付片５１の長手方向の第１端（前端）は、第２取付片５２の第１端と一体である。また、第１取付片５１の長手方向の第２端（後端）は、第３取付片５３と一体である。
【００３５】
第２取付片５２の第１端は、第１取付片５１の長手方向の第１端（前端）と繋がっている。また、第２取付片５２の第２端は、突壁１９（後述する）に対向している。第２取付片５２は、取付部材５０がハウジング１に取り付けられた状態において、周壁１２の外側面Ｓ２と内側面Ｓ１とを繋ぐ繋ぎ面Ｓ３の少なくとも一部を覆う。本実施形態では、繋ぎ面Ｓ３は、第１周壁１２１（又は第２周壁１２２）の前端部であって、平面視で台形状の部位の外面を構成している（図１５Ａ、図１５Ｂ参照）。ここで、「平面視」は、第１周壁１２１が対象であれば、第１方向（左右方向）から見ることをいい、第２周壁１２２が対象であれば、第２方向（上下方向）から見ることをいう。
【００３６】
取付部材５０は、周壁１２の外側面Ｓ２を覆う部位を有していない。つまり、取付部材５０は、周壁１２を挟んだ第１取付片５１の反対側に位置する部位を有していない。言い換えれば、取付部材５０は、第２取付片５２の第２端と繋がっており、かつ、第２取付片５２の第２端から周壁１２の外側面Ｓ２に沿って延びる部位を有していない。更に言い換えれば、取付部材５０は、周壁１２の厚さ方向において、第１取付片５１との間で周壁１２を挟み込む部位を有していない。
【００３７】
本実施形態では、取付部材５０は、第１取付片５１及び第２取付片５２を１つの組片５４として、組片５４を複数（ここでは、３つ）有している。具体的には、第１方向の第１端（左端）側の取付金具５では、２つの組片５４は、それぞれ一対の第１周壁１２１の長手方向の第１端（左端）に取り付けられている。また、残りの１つの組片５４は、第１方向の第１側（左側）の第２周壁１２２に取り付けられている。同様に、第１方向の第２側（右側）の取付金具５では、２つの組片５４は、それぞれ一対の第１周壁１２１の長手方向の第２端（右端）に取り付けられている。また、残りの１つの組片５４は、ハウジング１の第１方向の第２端（右端）側の第２周壁１２２に取り付けられている。つまり、３つの組片５４は、周壁１２のうち、一対の第１周壁１２１と、第２周壁１２２と、にそれぞれ設けられている。
【００３８】
第３取付片５３は、第２方向（上下方向）に沿って長い矩形板状である。第３取付片５３は、３つの組片５４を一体に有している。具体的には、第３取付片５３の長手方向（上下方向）の両端は、それぞれ上下一対の第１取付片５１の長手方向の第２端（後端）と一体である。また、第１方向の第１側（左側）の取付金具５では、第３取付片５３の短手方向の一端（左端）は、第１取付片５１の長手方向の第２端（後端）と一体である。同様に、第１方向の第２側（右側）の取付金具５では、第３取付片５３の短手方向の一端（右端）は、第１取付片５１の長手方向の第２端（後端）と一体である。
【００３９】
ここで、既に述べたように、第１取付片５１は、第３方向（前後方向）において底壁１１を貫通した状態でハウジング１に取り付けられている。したがって、第１取付片５１の長手方向の第２端（後端）と一体である第３取付片５３は、第３方向の一端側（後側）において、ハウジング１から露出している。（図２参照）。つまり、第１取付片５１は、底壁１１の厚さ方向において底壁１１を貫通している。そして、第３取付片５３は、第１取付片５１の底壁１１側の一端から底壁１１に沿って延びている。
【００４０】
第３取付片５３の一面（後面）は、複数のコンタクト２の一面（後面）と略面一であり、例えば半田付けにより基板７に接合される接合面となる。つまり、第３取付片５３は、基板７に接合される接合部５１１を有している。言い換えれば、取付部材５０は、基板７に接合される接合部５１１を有している。そして、接合部５１１は、第１取付片５１の底壁１１側の一端（ここでは、第３取付片５３）に設けられていると言える。
【００４１】
第３取付片５３は、凹所５３１を有している。凹所５３１は、第１方向の第１側（左側）の取付金具５では、第３取付片５３の短手方向の一端（右端）から他端（左端）に向かって窪んでいる。また、凹所５３１は、第１方向の第２側（右側）の取付金具５では、第３取付片５３の短手方向の一端（左端）から他端（右端）に向かって窪んでいる。つまり、第３取付片５３は、平面視で底壁１１に沿って窪んだ凹所５３１を有している。ここで、「平面視」は、第３方向（前後方向）から見ることをいう。
【００４２】
また、第３取付片５３は、複数（ここでは、２つ）の端子部５３２を有している。２つの端子部５３２は、第３取付片５３の長手方向（上下方向）の両端から突出するように、第３取付片５３と一体である。端子部５３２は、第２方向（上下方向）に沿って長い矩形板状である。第２方向の第１側（上側）の端子部５３２は、第１方向（左右方向）において、第２方向の第１側（上側）の複数のコンタクト２と並んでいる。同様に、第２方向の第２側（下側）の端子部５３２は、第１方向（左右方向）において、第２方向の第２側（下側）の複数のコンタクト２と並んでいる。端子部５３２の一面（後面）は、複数のコンタクト２の一面（後面）と略面一であり、例えば半田付けにより基板７に接合される接合面となる。
【００４３】
ここで、ハウジング１には、複数（ここでは、６つ）の露出部１１１が設けられている（図２、図４参照）。具体的には、ハウジング１の第１方向の第１側（左側）では、３つの露出部１１１が、一対の第１周壁１２１の第１方向の第１端（左端）と、第２周壁１２２とにそれぞれ設けられている。また、ハウジング１の第１方向の第２側（右側）では、３つの露出部１１１が、一対の第１周壁１２１の第１方向の第２端（右端）と、第２周壁１２２とにそれぞれ設けられている。
【００４４】
露出部１１１は、周壁１２の後面から前向きに窪んでおり、対応する第１取付片５１の一部をハウジング１から露出させる。例えば、第１方向の第１側（左側）においては、上側、下側、及び左側の露出部１１１は、それぞれ上側、下側、及び左側の第１取付片５１の一部をハウジング１から露出させている。つまり、露出部１１１は、底壁１１の厚さ方向（前後方向）に窪んでおり、取付部材５０の一部をハウジング１から露出させる。
【００４５】
また、ハウジング１は、複数（ここでは、２つ）の肉厚部１８を有している（図１、図３参照）。２つの肉厚部１８は、それぞれ嵌合凹部１３の長手方向（左右方向）の両端に設けられている。肉厚部１８は、底壁１１から前向きに突出するように、底壁１１と一体である。肉厚部１８は、平面視で三角形状であり、底壁１１と接する底面と、対応する第１取付片５１と接する起立面と、外部に臨む斜面と、を有している。ここで、「平面視」とは、第２方向（上下方向）から見ることをいう。具体的には、第１方向の第１側（左側）に設けられる肉厚部１８では、起立面が左側の第２周壁１２２に設けられた第１取付片５１に接している。また、第１方向の第２側（右側）に設けられる肉厚部１８では、起立面が右側の第２周壁１２２に設けられた第１取付片５１に接している。そして、２つの肉厚部１８は、いずれも底壁１１と第１取付片５１との境界を覆っている。つまり、肉厚部１８は、底壁１１と、取付部材５０のうち底壁１１を貫通して周壁１２の内側に露出する部位（第１取付片５１）との境界を覆っている。
【００４６】
また、ハウジング１は、複数（ここでは、６つ）の突壁１９を有している（図１、図３参照）。６つの突壁１９は、いずれも矩形板状である。６つの突壁１９のうち４つの突壁１９は、いずれも第１周壁１２１の第３方向の一端（前端）から第３方向に沿った向き（前向き）に突出している。また、残りの２つの突壁１９は、いずれも第２周壁１２２の第３方向の一端（前端）から第３方向に沿った向き（前向き）に突出している。言い換えれば、突壁１９は、周壁１２の繋ぎ面Ｓ３から第３方向（前後方向）に突出している。６つの突壁１９は、それぞれ対応する第２取付片５２の第２端と対向している。具体的には、第２方向の第１側（上側）において、２つの突壁１９は、それぞれ２つの第２取付片５２の第２端（上端）と対向している。また、第２方向の第２側（下側）において、２つの突壁１９は、それぞれ２つの第２取付片５２の第２端（下端）と対向している。また、第１方向の第１側（左側）において、突壁１９は、第２取付片５２の第２端（左端）と対向している。また、第１方向の第２側（右側）において、突壁１９は、第２取付片５２の第２端（右端）と対向している。このように、突壁１９は、第２取付片５２の外側面Ｓ２側の一端と対向している。
【００４７】
本実施形態では、第１方向の第１側（左側）の取付金具５は、接合部５１１が基板７に接合された状態において、基板７の有する導体を介して、上下一対の電源端子４と電気的に接続することが可能である。同様に、第１方向の第２側（右側）の取付金具５は、接合部５１１が基板７に接合された状態において、基板７の有する導体を介して、上下一対の電源端子４と電気的に接続することが可能である。つまり、複数のコンタクト２のうち一部のコンタクト２（電源端子４）は、取付金具５と同電位に電気的に接続されるように構成されている。
【００４８】
（３）他コネクタ
以下、本実施形態のコネクタ１０１に対応する他コネクタ１０２について図７〜図１２Ｃを用いて説明する。
【００４９】
（３．１）全体構成
まず、本実施形態の他コネクタ１０２の全体構成について詳細に説明する。接続端子６については、「（３．２）接続端子」にて詳細に説明する。本実施形態の他コネクタ１０２は、ヘッダ（オスコネクタ）であって、図７〜図１２Ｃに示すように、他コネクタ側ハウジング１Ａ（以下、原則、「ハウジング１Ａ」という）と、複数（ここでは、８本）のコンタクト２Ａと、を備えている。また、本実施形態の他コネクタ１０２は、二対の他コネクタ側取付金具５Ａ（以下、原則、「取付金具５Ａ」という）と、一対の接続端子６と、を備えている。接続端子６については、「（３．２）接続端子」にて詳細に説明する。
【００５０】
ハウジング１Ａは、第１方向（左右方向）に長い扁平な直方体状であって、絶縁性を有する樹脂成形体である。ハウジング１Ａは、底壁１１Ａと、周壁１２Ａと、を有している。底壁１１Ａは、第１方向に長い板状であって、ハウジング１Ａの底部を構成する。周壁１２Ａは、底壁１１Ａと一体である。また、周壁１２Ａは、底壁１１Ａの周縁から底壁１１Ａの一面（前面）を囲むように前向きに突出しており、平面視で矩形枠状である。つまり、周壁１２Ａは、底壁１１Ａを囲むように構成されている。ここでは、「平面視」は、第３方向（前後方向）から見ることをいう。
【００５１】
具体的には、周壁１２Ａは、一対の第１周壁１２１Ａと、一対の第２周壁１２２Ａとで構成されている。一対の第１周壁１２１Ａは、周壁１２Ａのうち第１方向（左右方向）に長い一対の壁である。一対の第２周壁１２２Ａは、周壁１２Ａのうち第２方向（上下方向）に長い一対の壁である。底壁１１Ａ及び周壁１２Ａで囲まれた部位は、コネクタ１０１が嵌合する嵌合凹部１３Ａを構成している。具体的には、嵌合凹部１３Ａには、コネクタ１０１の台部１６が嵌合する。
【００５２】
本実施形態では、ハウジング１Ａは、複数のコンタクト２Ａと、二対の取付金具５Ａと、をインサート品とするインサート成形品である。本実施形態では、複数のコンタクト２Ａは、一対の第１周壁１２１Ａの各々に設けられている。具体的には、一対の第１周壁１２１Ａは、それぞれ４本のコンタクト２Ａを保持している。また、本実施形態では、一対の接続端子６は、それぞれ一部が一対の第２周壁１２２Ａに押し込まれることにより、ハウジング１Ａに保持されている。
【００５３】
コンタクト２Ａは、例えば銅合金などの金属材料から成る金属成形体である。また、コンタクト２Ａには、金めっきが施されている。なお、コンタクト２Ａには、金めっきが施されていなくてもよい。コンタクト２Ａは、接触片２１と、垂下片２２と、端子片２３と、を有しており、これらが一体に構成されている（図１１Ｂ参照）。接触片２１は、板状である。接触片２１は、周壁１２Ａにおける嵌合凹部１３Ａとの対向面に設けられている。接触片２１は、コネクタ１０１の台部１６が嵌合凹部１３Ａに挿入された状態で、対応するコンタクト２と接触するように構成されている。
【００５４】
また、接触片２１には、嵌合凹部１３Ａから離れる向きに窪んだ窪み２１１が設けられている。窪み２１１は、コネクタ１０１の台部１６が嵌合凹部１３Ａに挿入された状態で、対応するコンタクト２の一部が嵌まり込むように構成されている。つまり、接触片２１の窪み２１１及び対応するコンタクト２は、所定以上の力を加えることによりコネクタ１０１と他コネクタ１０２との接続状態を解除可能なロック機構を構成している。
【００５５】
垂下片２２は、板状である。垂下片２２は、第１周壁１２１Ａの外側の面（上側の第１周壁１２１Ａであれば上面、下側の第１周壁１２１Ａであれば下面）に沿って設けられている。垂下片２２の一端（前端）は、逆Ｕ字状に湾曲しており、接触片２１の第１端（前端）と一体である。
【００５６】
また、垂下片２２は、垂下片２２の厚さ方向（上下方向）に沿って突出する突起２２１と一体である。突起２２１は、コネクタ１０１の台部１６が嵌合凹部１３Ａに挿入された状態で、対応するコンタクト２の突起２５１と第３方向（前後方向）に並び、かつ、突起２５１よりも後方に位置する（図１４参照）。このため、所定以上の力をもってコネクタ１０１を嵌合凹部１３Ａから引き抜こうとしない限り、コンタクト２の突起２５１がコンタクト２Ａの突起２２１に引っ掛かることにより、コネクタ１０１と他コネクタ１０２との接続状態が解除されない。つまり、コンタクト２Ａの突起２２１及びコンタクト２の突起２５１は、所定以上の力を加えることによりコネクタ１０１と他コネクタ１０２との接続状態を解除可能なロック機構を構成している。
【００５７】
端子片２３は、板状である。端子片２３の第１端は、接触片２１の第２端（後端）と一体である。また、端子片２３の第２端は、第３方向の一端側（後側）において、ハウジング１Ａから露出している。端子片２３の一面（後面）は、例えば半田付けにより基板７に接合される接合面となる。
【００５８】
複数のコンタクト２Ａは、コネクタ１０１と同様に、信号端子３Ａと、電源端子４Ａと、に大別される。本実施形態では、コネクタ１０１と同様に、８本のコンタクト２Ａのうち、信号端子３Ａが４本、電源端子４Ａが４本である。また、本実施形態では、一対の第１周壁１２１Ａの各々に、２本の信号端子３Ａと、２本の電源端子４Ａとが配列方向（左右方向）に並んだ状態で設けられている。また、一対の第１周壁１２１Ａの各々において、２本の信号端子３Ａは、２本の電源端子４Ａに挟まれるように設けられている。
【００５９】
本実施形態では、電源端子４Ａは、コネクタ１０１の電源端子４と同様に、３本の信号端子３Ａを一方向（左右方向）に並べて一体とした形状である。つまり、本実施形態では、電源端子４Ａの幅寸法（第１方向（左右方向）の寸法）を信号端子３Ａの幅寸法よりも大きくしている。これにより、電源端子４Ａのインピーダンスを信号端子３Ａのインピーダンスよりも小さくし、電源端子４Ａの定格電流を信号端子３Ａの定格電流よりも大きくしている。また、電源端子４Ａの接触片２１には、３つの窪み２１１が設けられている。また、電源端子４Ａの端子片２３は、第２端から第２方向（上下方向）における外向きに突出する２つの突片２３１と一体である。このため、電源端子４Ａの端子片２３を例えば半田付けにより基板７に接合するときに、これら２つの突片２３１の間の領域に半田が広がり易く、フィレットが形成され易い。したがって、この構成では、電源端子４Ａを基板７に対してより強固に接合することができる。
【００６０】
また、本実施形態では、第１方向（左右方向）から見て、信号端子３Ａの断面の形状は、電源端子４Ａの断面の形状と同一である。ここでいう「同一」は、「ほぼ同一」を含む表現である。したがって、製造上の誤差又はバラツキにより信号端子３Ａ及び電源端子４Ａの各々の断面の形状が互いに僅かに異なるのは、許容範囲内の誤差である。
【００６１】
取付金具５Ａは、例えば銅合金などの金属材料から成る金属成形体であり、板状の第１片５０１と、第１片５０１と一体である板状の第２片５０２と、を有している（図１１Ａ参照）。取付金具５Ａは、全体として、平面視でＬ字状である。ここでは、「平面視」は、第１方向（左右方向）から見ることをいう。
【００６２】
取付金具５Ａは、一対の第２周壁１２２Ａの各々に一対ずつ設けられている（図７、図８参照）。具体的には、取付金具５Ａは、第１片５０１が第２周壁１２２Ａに埋め込まれるように設けられている。つまり、取付金具５Ａは、一対の第２周壁１２２Ａのうち接続端子６が設けられる第２周壁１２２Ａに設けられている。具体的には、一対の第２周壁１２２Ａのうち接続端子６が設けられる第２周壁１２２Ａは、取付金具５Ａをインサート品とするインサート成形品である。取付金具５Ａは、第２周壁１２２Ａ（つまり、ハウジング１Ａ）の強度を向上するために用いられる。
【００６３】
第２片５０２は、ハウジング１Ａから露出しており、その後面は、コンタクト２Ａの後面と略面一である。一対の第１周壁１２１Ａの各々において、２つの第２片５０２は、複数のコンタクト２Ａの端子片２３と配列方向（左右方向）に並んだ状態でハウジング１Ａに設けられている。したがって、第２片５０２は、複数のコンタクト２Ａと同様に、基板７に接合することが可能である。そして、第２片５０２を基板７に半田付けにより接合することで、第２片５０２（つまり、取付金具５Ａ）に加わる応力を基板７に伝えることができ、基板７でも応力を受けることが可能になる。このため、取付金具５Ａの強度を向上することができ、結果としてハウジング１Ａの強度を向上することができる。
【００６４】
（３．２）接続端子
次に、本実施形態の他コネクタ１０２における接続端子６について図１２Ａ〜図１２Ｃを用いて詳細に説明する。本実施形態では、接続端子６は、一対の第２周壁１２２Ａの各々に設けられている。以下の説明では、原則として、第１方向の第１側（左側）の第２周壁１２２Ａに取り付けられる接続端子６を例として説明するが、第１方向の第２側（右側）の第２周壁１２２Ａに取り付けられる接続端子６も同様の構成である。
【００６５】
接続端子６は、例えば銅合金などの金属材料から成る金属成形体であり、導電性を有している。また、接続端子６には、金めっきが施されている。なお、接続端子６には、金めっきが施されていなくてもよい。接続端子６は、主片６１と、対向片６２と、繋ぎ片６３と、を有している。主片６１は、第２方向（上下方向）に沿って長い矩形板状である。主片６１は、第２周壁１２２Ａの溝１４（図８参照）に後方から押し込まれることにより、ハウジング１Ａに保持されている。ここでいう「押し込まれる」とは、一定以上の力を加えて押し込まれること、つまり圧入を含む概念である。
【００６６】
溝１４は、一対の第２周壁１２２Ａの各々に設けられている。溝１４は、第２周壁１２２Ａを第３方向（前後方向）に貫通するように設けられている。具体的には、第１方向の第１側（左側）の第２周壁１２２Ａの溝１４は、第２周壁１２２Ａの前面の一部、後面の一部、及び左側面の一部を開放するように設けられている。また、第１方向の第２側（右側）の第２周壁１２２Ａの溝１４は、第２周壁１２２Ａの前面の一部、後面の一部、及び右側面の一部を開放するように設けられている。本実施形態では、溝１４の長手方向（上下方向）の寸法は、接続端子６の主片６１の長手方向（上下方向）の寸法よりも僅かに小さくなっている。したがって、接続端子６の主片６１は、溝１４に後方から押し込まれることで、塑性変形した状態でハウジング１Ａに保持されることになる。つまり、接続端子６は、一部（主片６１）がハウジング１Ａに保持されるように構成されている。
【００６７】
主片６１の短手方向の第１端（前端）は、繋ぎ片６３の第１端と一体である。本実施形態では、２つの繋ぎ片６３の第１端は、主片６１の長手方向（上下方向）に間隔を空けて主片６１の短手方向の第１端と一体である。そして、２つの繋ぎ片６３の第２端は、それぞれ対応する対向片６２の長手方向の第１端（前端）と一体である。つまり、接続端子６は、複数（ここでは、２つ）の対向片６２を有している。そして、複数の対向片６２の第１端は、それぞれ対応する複数（ここでは、２つ）の繋ぎ片６３と一体である。
【００６８】
また、接続端子６において、対向片６２及び繋ぎ片６３は、いずれもハウジング１Ａに保持されていない。本実施形態では、主片６１がハウジング１Ａ（第２周壁１２２Ａ）に保持されている状態において、対向片６２及び繋ぎ片６３と、ハウジング１Ａとの間には、それぞれ隙間が生じている。このため、本実施形態では、対向片６２及び繋ぎ片６３は、ハウジング１Ａに阻害されずに弾性変形し易い。
【００６９】
繋ぎ片６３は、主片６１及び対向片６２の端部（ここでは、前端）同士を繋いでいる。具体的には、上側の繋ぎ片６３は、主片６１の短手方向の第１端（前端）と、上側の対向片６２の長手方向の第１端（前端）とを繋いでいる。また、下側の繋ぎ片６３は、主片６１の短手方向の第１端（前端）と、下側の対向片６２の長手方向の第１端（前端）とを繋いでいる。また、繋ぎ片６３は、平面視で逆Ｕ字状に湾曲している。ここでは、「平面視」は、第２方向（上下方向）から見ることをいう。
【００７０】
主片６１の短手方向の第１端（前端）において、主片６１の長手方向（上下方向）の両角部には、それぞれ避け部６１０が設けられている。避け部６１０は、第３方向（前後方向）に沿った向き（後向き）に窪んでいる。この向きは、接続端子６を第２周壁１２２Ａに押し込む向きと反対の向きに相当する。つまり、避け部６１０は、主片６１における繋ぎ片６３に繋がる一端（ここでは、前端）の角部に設けられており、接続端子６を第２周壁１２２Ａに押し込む向きとは反対の向き（つまり、後向き）に窪んでいる。
【００７１】
第１方向の第１側（左側）の接続端子６において、第２方向の第１側（上側）の避け部６１０は、前方、上方、及び左方を開放するように設けられている。また、第１方向の第１側（左側）の接続端子６において、第２方向の第２側（下側）の避け部６１０は、前方、下方、及び左方を開放するように設けられている。同様に、第１方向の第２側（右側）の接続端子６において、第２方向の第１側（上側）の避け部６１０は、前方、上方、及び右方を開放するように設けられている。また、第１方向の第２側（右側）の接続端子６において、第２方向の第２側（下側）の避け部６１０は、前方、下方、及び右方を開放するように設けられている。また、避け部６１０は、第３方向（前後方向）から見た開口面が、後方から前方に向かうにつれて広がるように設けられている。
【００７２】
主片６１の長手方向（上下方向）の寸法は、短手方向の第２端（後端）側の寸法の方が、短手方向の第１端（前端）側の寸法よりも大きくなっている。また、主片６１の短手方向の第２端（後端）は、ハウジング１Ａの第３方向の一端側（後側）において、ハウジング１Ａから露出している。主片６１の短手方向の第２端の一面（後面）は、複数のコンタクト２Ａの一面（後面）と略面一であり、例えば半田付けにより基板７に接合される接合面となる。つまり、接続端子６は、基板７に接合される接合部６１１を更に有している。そして、接合部６１１は、主片６１の短手方向の第２端（後端）、つまり底壁１１側の一端に設けられている。
【００７３】
主片６１の短手方向の第２端（後端）には、２つの凹部６１２が設けられている。２つの凹部６１２は、いずれもハウジング１Ａの厚さ方向に沿った向き（ここでは、前向き）に窪んでいる。この向きは、接続端子６を第２周壁１２２Ａに押し込む向きに相当する。また、２つの凹部６１２は繋がっており、２つの凹部６１２が繋がる部位も、第３方向に沿った向き（前向き）に窪んでいる。つまり、凹部６１２は、主片６１の短手方向の第２端（後端）、つまり底壁１１Ａ側の一端に設けられており、接続端子６を第２周壁１２２Ａに押し込む向き（前向き）に窪んでいる。
【００７４】
対向片６２は、第３方向（前後方向）に沿って長い矩形板状である。対向片６２は、主片６１と第１方向（左右方向）に間隔を空けて対向し、第２周壁１２２Ａから露出している。具体的には、第１方向の第１側（左側）の接続端子６の対向片６２は、第２周壁１２２Ａの左面から露出している。また、第１方向の第２側（右側）の接続端子６の対向片６２は、第２周壁１２２Ａの右面から露出している。
【００７５】
対向片６２と主片６１との間には、空隙が設けられている。また、接続端子６のうち対向片６２及び繋ぎ片６３は、ハウジング１Ａには保持されていない。このため、対向片６２及び繋ぎ片６３は、弾性変形することが可能である。特に、対向片６２は、第１方向（左右方向）において弾性変形することが可能である。つまり、接続端子６では、ハウジング１Ａに保持されていない部位（対向片６２及び繋ぎ片６３）が弾性変形可能である。
【００７６】
対向片６２には、第１方向（左右方向）に沿った向きに突出する突部６２１が設けられている。具体的には、第１方向の第１側（左側）の接続端子６の対向片６２には、左向きに突出する突部６２１が設けられている。また、第１方向の第２側（右側）の接続端子６の対向片６２には、右向きに突出する突部６２１が設けられている。つまり、対向片６２は、一対の第２周壁１２２Ａが並ぶ方向に沿った向きに突出する突部６２１を有している。
【００７７】
本実施形態では、突部６２１は、対向片６２の長手方向の第２端（後端）から、第３方向（前後方向）に沿って延びている。つまり、突部６２１は、ハウジング１Ａの底壁１１Ａと直交する方向に沿って延びている。また、突部６２１の繋ぎ片６３側の一端（前端）は、繋ぎ片６３に近づくにつれて対向片６２からの突出量が小さくなるテーパを有している。このテーパにより、他コネクタ１０２をコネクタ１０１に接続するときに、突部６２１がコネクタ１０１の取付金具５に引っ掛かり難い。
【００７８】
本実施形態では、第１方向の第１側（左側）の接続端子６は、接合部６１１が基板７に接合された状態において、基板７の有する導体を介して、上下一対の電源端子４Ａと電気的に接続することが可能である。同様に、第１方向の第２側（右側）の接続端子６は、接合部６１１が基板７に接合された状態において、基板７の有する導体を介して、上下一対の電源端子４Ａと電気的に接続することが可能である。つまり、複数のコンタクト２Ａのうち一部のコンタクト２Ａ（電源端子４Ａ）は、接続端子６と同電位に電気的に接続されるように構成されている。
【００７９】
（４）接続システム
コネクタ１０１は、例えばスマートフォン等の電子機器に内蔵された基板７（以下、「第１基板７１」ともいう）に実装される（図１３参照）。また、コネクタ１０１に対応する他コネクタ１０２は、同じく電子機器に内蔵された他の基板７（以下、「第２基板７２」ともいう）に実装される（図１３参照）。
【００８０】
そして、図１３、図１４に示すように、コネクタ１０１を他コネクタ１０２に接続することにより、第１基板７１の有する第１導体と、第２基板７２の有する第２導体との間が電気的に接続される。具体的には、コネクタ１０１の複数のコンタクト２が、他コネクタ１０２の複数のコンタクト２Ａに電気的に接続されることで、コネクタ１０１が他コネクタ１０２に接続される。このとき、コネクタ１０１の複数（ここでは、４本）の信号端子３は、それぞれ他コネクタ１０２の対応する複数（ここでは、４本）の信号端子３Ａに電気的に接続される。また、コネクタ１０１の複数（ここでは、４本）の電源端子４は、それぞれ他コネクタ１０２の対応する複数（ここでは、４本）の電源端子４Ａに電気的に接続される。つまり、本実施形態では、コネクタ１０１と、他コネクタ１０２とで、接続システム１００が構成されている。言い換えれば、接続システム１００は、コネクタ１０１と、他コネクタ１０２と、を備えている。なお、図１３、図１４では、他コネクタ１０２は、前後を反転させた状態で図示されている。後述する図１５Ａ、図１５Ｂにおいても同様である。
【００８１】
ここで、コネクタ１０１を他コネクタ１０２に接続するとき、図１５Ａ、図１５Ｂに示すように、接続端子６の対向片６２は、取付金具５の第１取付片５１及び第２取付片５２に第１方向（左右方向）に沿った向きに押される。このため、接続端子６は、第１方向（左右方向）に沿った向きに弾性変形した状態で取付金具５に接触する。具体的には、第１方向の第１側（左側）の接続端子６では、２つの対向片６２は、それぞれ右向きに弾性変形した状態で、取付金具５の第１取付片５１に接触する。また、第１方向の第２側（右側）の接続端子６では、２つの対向片６２は、それぞれ左向きに弾性変形した状態で、取付金具５の第１取付片５１に接触する。つまり、コネクタ１０１が他コネクタ１０２に接続された状態において、接続端子６は、元の状態に復帰しようとする弾性力を取付金具５に与えている。
【００８２】
そして、コネクタ１０１を他コネクタ１０２に接続した状態において、取付金具５が接続端子６に接触することで、取付金具５が接続端子６に電気的に接続される。このため、第１基板７１の有する第１導体のうち取付金具５と電気的に接続される第１導体と、第２基板７２の有する第２導体のうち接続端子６と電気的に接続される第２導体との間が電気的に接続される。本実施形態では、取付金具５及び接続端子６を介して、コネクタ１０１の電源端子４に電気的に接続される第１導体と、他コネクタ１０２の電源端子４Ａに電気的に接続される第２導体との間が電気的に接続される。
【００８３】
（５）利点
以下、本実施形態の取付金具５の利点を説明するに当たり、まず、本実施形態の取付金具５の比較例を挙げる。比較例の取付金具は、基本的な構成は本実施形態の取付金具５と共通しているが、取付部材が周壁１２を挟んだ第１取付片の反対側に位置する部位（以下、「反対側部位」という）を有している。比較例の取付金具は、本実施形態の取付金具５と同様に、周壁１２に取り付けられる。ここで、比較例の取付金具では、取付部材が反対側部位を有しているため、本実施形態の取付金具５と比較して、反対側部位を有している分、体積が大きく、ハウジング１に対する体積比も大きい。
【００８４】
一方、本実施形態の取付金具５は、取付部材５０が反対側部位を有していないので、取付金具５のハウジング１に対する体積比の低減を図ることができる。このため、本実施形態の取付金具５は、取付部材５０が反対側部位を有する場合と比較して、コネクタ１０１の小型化を図ることができる。すなわち、取付部材５０が周壁１２の外側面Ｓ２を覆う反対側部位を有する場合と比較して、周壁１２の厚さ方向の寸法を小さくすることができるので、結果として、コネクタ１０１の小型化を図ることができる。また、コネクタ１０１の大きさが所定の大きさに規定されている場合、取付部材５０が反対側部位を有する場合と比較して、ハウジング１の強度を向上することができる。すなわち、取付部材５０が反対側部位を有していないことから、反対側部位の分だけ周壁１２の厚さ方向（第１周壁１２１の第２方向（上下方向）、及び第２周壁１２２の第１方向（左右方向））の寸法を大きくすることができるので、ハウジング１の強度を向上することができる。
【００８５】
（６）変形例
以下、本実施形態の変形例を列挙する。以下に説明する変形例の基本的な構成は、いずれも本実施形態の他コネクタ１０２と共通しているので、共通する点については説明を省略する。また、以下に説明する変形例は、いずれも接続システム１００において、本実施形態の他コネクタ１０２の代わりに用いることが可能である。また、以下に説明する変形例は、適宜組み合わせて適用可能である。例えば、第１変形例及び第２変形例は、それぞれ第３変形例〜第７変形例のいずれかと組み合わせることが可能である。
【００８６】
（６．１）第１変形例
第１変形例の他コネクタ１０２は、図１６、図１７に示すように、取付金具５Ａを備えていない。本変形例では、一対の第２周壁１２２Ａの各々には、接続端子６だけが取り付けられており、一対の取付金具５Ａは取り付けられていない。この構成では、ハウジング１Ａに取付金具５Ａを取り付けるためのスペースを設ける必要がないので、ハウジング１Ａの寸法（特に、ハウジング１Ａの長手方向の寸法）を小さくすることができる。つまり、この構成では、他コネクタ１０２の小型化を図ることができる。
【００８７】
（６．２）第２変形例
第２変形例の他コネクタ１０２は、図１８に示すように、接続端子６の主片６１が一対の延長片６１３を有している点で、第１変形例の他コネクタ１０２と異なっている。一対の延長片６１３は、それぞれ主片６１の短手方向の第２端（後端）、つまり底壁１１Ａ側の一端から底壁１１Ａに沿って延びている。一対の延長片６１３は、主片６１の長手方向（上下方向）の両端から突出するように、主片６１と一体である。延長片６１３は、第２方向（上下方向）に沿って長い矩形板状である。第２方向の第１側（上側）の延長片６１３は、第１方向（左右方向）において、第２方向の第１側（上側）の複数のコンタクト２Ａと並んでいる。同様に、第２方向の第２側（下側）の延長片６１３は、第１方向（左右方向）において、第２方向の第２側（下側）の複数のコンタクト２Ａと並んでいる。
【００８８】
延長片６１３の一面（後面）は、複数のコンタクト２Ａの一面（後面）と略面一であり、例えば半田付けにより基板７に接合される接合面となる。つまり、本変形例では、接合部６１１は、延長片６１３に更に設けられている。この構成では、取付金具５Ａの第２片５０２の代わりに、延長片６１３を基板７に接合することが可能である。
【００８９】
（６．３）第３変形例
第３変形例の他コネクタ１０２では、図１９Ａ〜図１９Ｃに示すように、接続端子６の２つの対向片６２は、いずれも突部６２１を有していない。接続端子６は、本変形例のように突部６２１を有していない構成であっても、コネクタ１０１が他コネクタ１０２に接続されている状態において、コネクタ１０１の導電部に弾性力を与えながら接触することができる。また、この構成では、接続端子６が突部６２１を有する場合と比較して、接続端子６の製造が容易である。
【００９０】
（６．４）第４変形例
第４変形例の他コネクタ１０２では、図２０Ａ〜図２０Ｃに示すように、接続端子６は、１つの対向片６２と、１つの繋ぎ片６３と、を有している。つまり、本変形例では、接続端子６の対向片６２及び繋ぎ片６３は、主片６１の短手方向の第１端（前端）から二股に分かれていない。また、本変形例では、１つの対向片６２の一面に、２つの突部６２１が第２方向（上下方向）に間隔を空けて設けられている。この構成では、対向片６２及び繋ぎ片６３が二股に分かれる構成と比較して、接続端子６の製造が容易である。
【００９１】
（６．５）第５変形例
第５変形例の他コネクタ１０２では、図２１Ａ〜図２１Ｃに示すように、接続端子６は、１つの対向片６２と、１つの繋ぎ片６３と、を有している。つまり、本変形例は、第４変形例と同様に、対向片６２及び繋ぎ片６３が二股に分かれていない。また、本変形例では、対向片６２は、１つの突部６２１だけを有している。この構成では、接続端子６が複数の突部６２１を有する場合と比較して、接続端子６の製造が容易である。
【００９２】
（６．６）第６変形例
第６変形例の他コネクタ１０２では、図２２Ａ〜図２２Ｃに示すように、接続端子６は、１つの対向片６２と、１つの繋ぎ片６３と、を有している。つまり、本変形例は、第４変形例と同様に、対向片６２及び繋ぎ片６３が二股に分かれていない。また、本変形例では、対向片６２は、突部６２１を有していない。この構成では、接続端子６が突部６２１を有する場合と比較して、接続端子６の製造が容易である。
【００９３】
上述の第４変形例〜第６変形例のように、接続端子６は、２つの対向片６２及び２つの繋ぎ片６３を有する構成に限定されず、１つの対向片６２及び１つの繋ぎ片６３を有する構成であってもよい。その他、接続端子６は、３以上の対向片６２及び３以上の繋ぎ片６３を有する構成であってもよい。また、対向片６２は、１つの突部６２１を有する構成に限定されず、２つの突部６２１を有する構成であってもよいし、突部６２１を有していない構成であってもよい。その他、対向片６２は、３以上の突部６２１を有する構成であってもよい。
【００９４】
（６．７）第７変形例
本実施形態の他コネクタ１０２では、例えば図８に示すように、底壁１１Ａの第１方向（左右方向）の両端は、それぞれ第１方向（左右方向）に沿って延びる一対の延長壁１１２と一体である。そして、本実施形態の他コネクタ１０２では、第１方向の第１側（左側）及び第２側（右側）のいずれにおいても、一対の延長壁１１２と主片６１との間には隙間が設けられている。これに対して、第７変形例の他コネクタ１０２では、図２３に示すように、第１方向の第１側（左側）及び第２側（右側）のいずれにおいても、一対の延長壁１１２が主片６１と接しており、一対の延長壁１１２と主片６１との間に隙間が設けられていない。なお、図２３では、他コネクタ１０２の第１方向の第１側（左側）だけを図示している。
【００９５】
ここで、本実施形態の他コネクタ１０２のように、一対の延長壁１１２と主片６１との間に隙間が設けられている場合、以下のような利点がある。すなわち、主片６１の短手方向の第２端の一面（後面）を半田付けにより基板７に接合するときに、上記の隙間に半田が広がることで、フィレットが形成され易い。したがって、この構成では、主片６１（つまり、接続端子６）が基板７に対して強固に接合され易く、結果として、他コネクタ１０２が基板７に強固に固定され易い。
【００９６】
一方、本変形例の他コネクタ１０２のように、一対の延長壁１１２と主片６１との間に隙間が設けられていない場合、以下のような利点がある。すなわち、主片６１に第１方向（左右方向）に沿った向きの応力が加わった場合に、この応力を一対の延長壁１１２が受けることで、主片６１が塑性変形し難い。したがって、この構成では、主片６１（つまり、接続端子６）の強度を向上することができる。更に、この構成では、接続端子６を第２周壁１２２Ａの溝１４に押し込むときに、一対の延長壁１１２により主片６１が溝１４に案内されるので、主片６１の位置決めの精度を向上することができる。
【００９７】
（６．８）第８変形例
第８変形例の他コネクタ１０２では、図２４〜図２７に示すように、ハウジング１Ａが、接続端子６をインサート品とするインサート成形品である点で、実施形態の他コネクタ１０２と異なっている。言い換えれば、一対の接続端子６は、インサート成形品であるハウジング１Ａのインサート品として、それぞれ一対の第２周壁１２２Ａに保持されている。
【００９８】
本変形例では、主片６１と、繋ぎ片６３の一部とは、第２周壁１２２Ａの溝１４において、ハウジング１Ａのインサート品として、ハウジング１Ａに保持されている。つまり、接続端子６は、一部（主片６１、及び繋ぎ片６３の一部）がハウジング１Ａに保持されるように構成されている。
【００９９】
また、本変形例では、溝１４において、対向片６２と主片６１との間には、壁部１５が設けられている。壁部１５は、第２方向（上下方向）に長い矩形板状である。壁部１５は、ハウジング１Ａの底壁１１Ａと一体であり、底壁１１Ａから底壁１１Ａの厚さ方向に沿った向き（ここでは、前向き）に突出している。つまり、ハウジング１Ａは、主片６１と対向片６２との間に設けられる壁部１５を更に有している。
【０１００】
対向片６２と壁部１５（つまり、主片６１）との間には、空隙が設けられている。また、接続端子６のうち対向片６２及び繋ぎ片６３（繋ぎ片６３の一部を除く）は、ハウジング１Ａには保持されていない。このため、対向片６２及び繋ぎ片６３（繋ぎ片６３の一部を除く）は、弾性変形することが可能である。特に、対向片６２は、第１方向（左右方向）において弾性変形することが可能である。つまり、接続端子６では、ハウジング１Ａに保持されていない部位（対向片６２及び繋ぎ片６３（繋ぎ片６３の一部を除く））が弾性変形可能である。
【０１０１】
（６．９）第９変形例
第９変形例の他コネクタ１０２は、図２８、図２９に示すように、取付金具５Ａを備えていない点で第８変形例の他コネクタ１０２と異なっている。本変形例では、一対の第２周壁１２２Ａの各々には、接続端子６だけが取り付けられており、一対の取付金具５Ａは取り付けられていない。この構成では、ハウジング１Ａに取付金具５Ａを取り付けるためのスペースを設ける必要がないので、ハウジング１Ａの寸法（特に、ハウジング１Ａの長手方向の寸法）を小さくすることができる。つまり、この構成では、他コネクタ１０２の小型化を図ることができる。
【０１０２】
（６．１０）第１０変形例
第１０変形例の他コネクタ１０２は、図３０に示すように、接続端子６の主片６１が一対の延長片６１３を有している点で第９変形例の他コネクタ１０２と異なっている。この構成では、取付金具５Ａの第２片５０２の代わりに、延長片６１３を基板７に接合することが可能である。
【０１０３】
（６．１１）第１１変形例
第１１変形例の他コネクタ１０２は、図３１に示すように、第１方向の第１側（左側）及び第２側（右側）のいずれにおいても、一対の延長壁１１２と主片６１との間には隙間が設けられている。なお、図３１では、他コネクタ１０２の第１方向の第１側（左側）だけを図示している。この構成では、主片６１の短手方向の第２端の一面（後面）を半田付けにより基板７に接合するときに、上記の隙間に半田が広がることで、フィレットが形成され易い。したがって、この構成では、主片６１（つまり、接続端子６）が基板７に対して強固に接合され易く、結果として、他コネクタ１０２が基板７に強固に固定され易い。
【０１０４】
上述の第８変形例〜第１１変形例は、それぞれ第３変形例〜第６変形例のいずれかと組み合わせることが可能である。すなわち、第８変形例〜第１１変形例の各々の接続端子６は、第３変形例〜第６変形例のいずれかの接続端子６に置き換えられてもよい。
【０１０５】
（６．１２）その他の変形例
本実施形態の他コネクタ１０２では、一対の第２周壁１２２Ａの各々に１つの接続端子６が設けられているが、他の構成であってもよい。例えば、一対の第２周壁１２２Ａの各々に複数の接続端子６が設けられていてもよい。また、接続端子６は、第２周壁１２２Ａの他に、第１周壁１２１Ａにも設けられていてもよい。この場合、第１周壁１２１Ａは、接続端子６の一部（ここでは、主片６１）が押し込まれる溝を有していればよい。
【０１０６】
本実施形態の他コネクタ１０２では、第１周壁１２１Ａの長手方向の寸法が第２周壁１２２Ａの長手方向の寸法よりも大きくなっているが、他の構成であってもよい。例えば、第１周壁１２１Ａの長手方向の寸法は、第２周壁１２２Ａの長手方向の寸法よりも小さくてもよい。また、第１周壁１２１Ａの長手方向の寸法は、第２周壁１２２Ａの長手方向の寸法と略同じであってもよい。この場合、本実施形態のコネクタ１０１も、他コネクタ１０２の形状に合わせて適宜変更される。
【０１０７】
本実施形態の他コネクタ１０２では、接続端子６のうち対向片６２及び繋ぎ片６３が弾性変形可能であるが、他の構成であってもよい。例えば、接続端子６のうち対向片６２だけが弾性変形可能であってもよい。つまり、接続端子６は、ハウジング１Ａに保持されていない部位が弾性変形可能に構成されていればよい。
【０１０８】
本実施形態の他コネクタ１０２では、主片６１がハウジング１Ａに保持されている状態において、対向片６２及び繋ぎ片６３と、ハウジング１Ａとの間には、それぞれハウジング１Ａの短手方向（上下方向）に隙間が生じているが、隙間は生じていなくてもよい。つまり、対向片６２及び繋ぎ片６３は、ハウジング１Ａに接しながら弾性変形する構成であってもよい。
【０１０９】
本実施形態の他コネクタ１０２では、接続端子６の主片６１は、塑性変形した状態でハウジング１Ａに保持されているが、他の構成であってもよい。例えば、主片６１が塑性変形するのではなく、ハウジング１Ａが塑性変形した状態で、主片６１がハウジング１Ａに保持されていてもよい。また、主片６１及びハウジング１Ａのいずれもが塑性変形した状態で、主片６１がハウジング１Ａに保持されていてもよい。
【０１１０】
第２変形例の他コネクタ１０２は、取付金具５Ａを備えていないが、取付金具５Ａを備えていてもよい。つまり、一対の第２周壁１２２Ａの各々には、延長片６１３を有する接続端子６と、一対の取付金具５Ａとの両方が設けられていてもよい。
【０１１１】
第３変形例〜第６変形例の他コネクタ１０２では、いずれも接続端子６の主片６１は避け部６１０を有していないが、他の構成であってもよい。つまり、第３変形例〜第６変形例の他コネクタ１０２においても、接続端子６の主片６１は、避け部６１０を有していてもよい。
【０１１２】
本実施形態のコネクタ１０１では、取付金具５の取付部材５０は、３つの組片５４を有しているが、この構成に限定する趣旨ではない。例えば、取付部材５０は、図３２Ａ及び図３２Ｂに示すように、１つの組片５４だけを有していてもよい。この構成でも、コネクタ１０１と他コネクタ１０２とが接続された状態において、取付金具５が接続端子６に接触することで、取付金具５と接続端子６との間を電気的に接続することが可能である。また、例えば、取付部材５０は、２つの組片５４だけを有していてもよい。取付部材５０が２つの組片５４を有する場合、２つの組片５４は、一対の第１周壁１２１にそれぞれ設けられるのが好ましい。
【０１１３】
本実施形態のコネクタ１０１では、突壁１９は、第２取付片５２の外側面Ｓ２側の一端と接しているが、接していなくてもよい。つまり、突壁１９と第２取付片５２の外側面Ｓ２側の一端との間には、隙間があってもよい。
【０１１４】
本実施形態のコネクタ１０１では、取付部材５０は第３取付片５３を有しているが、他の構成であってもよい。例えば、取付部材５０は、第３取付片５３を有していなくてもよい。この構成では、第１取付片５１の長手方向の第２端（後端）、つまり底壁１１側の一端が、ハウジング１の厚さ方向の一端側（後側）において、ハウジング１から露出する。そして、この構成において、第１取付片５１の長手方向の第２端の一面（後面）は、複数のコンタクト２の一面（後面）と略面一であれば、例えば半田付けにより基板７に接合される接合面となる。つまり、この場合、接合部５１１は、第１取付片５１の底壁１１側の一端に設けられていると言える。
【０１１５】
本実施形態のコネクタ１０１では、第３取付片５３は、複数の端子部５３２を有しているが、他の構成であってもよい。例えば、第３取付片５３は、端子部５３２を有していなくてもよい。
【０１１６】
本実施形態の接続システム１００では、コネクタ１０１がソケットであり、他コネクタ１０２がヘッダであるが、これに限定する趣旨ではない。つまり、接続システム１００において、コネクタ１０１がヘッダであり、他コネクタ１０２がソケットであってもよい。
【０１１７】
（まとめ）
以上述べたように、第１の態様の取付金具（５）は、取付部材（５０）を備える。取付部材（５０）は、複数のコンタクト（２）を有するコネクタ（１０１）のハウジング（１）に取り付けられる。ハウジング（１）は、底壁（１１）と、底壁（１１）を囲む周壁（１２）と、を有する。取付部材（５０）は、第１取付片（５１）と、第２取付片（５２）と、を有する。第１取付片（５１）は、周壁（１２）の内側面（Ｓ１）の少なくとも一部を覆う。第２取付片（５２）は、第１取付片（５１）と繋がっており、周壁（１２）の外側面（Ｓ２）と内側面（Ｓ１）とを繋ぐ繋ぎ面（Ｓ３）の少なくとも一部を覆う。取付部材（５０）は、周壁（１２）を挟んだ第１取付片（５１）の反対側に位置する部位（反対側部位）を有していない。
【０１１８】
この構成によれば、反対側部位を有していないので、取付金具（５）のハウジング（１）に対する体積比の低減を図ることができる。
【０１１９】
第２の態様の取付金具（５）では、第１の態様において、第１取付片（５１）は、底壁（１１）の厚さ方向において底壁（１１）を貫通している。そして、取付部材（５０）は、第３取付片（５３）を更に有する。第３取付片（５３）は、第１取付片（５１）の底壁（１１）側の一端から底壁（１１）に沿って延びている。
【０１２０】
この構成によれば、コネクタ（１０１）に他コネクタ（１０２）を接続するときに、底壁（１１）の厚さ方向に沿った向きの応力が底壁（１１）に加わっても、この応力を第３取付片（５３）にて受けることができる。このため、この構成によれば、第３取付片（５３）を有していない場合と比較して、底壁（１１）、つまりハウジング（１）の強度を向上することができる。ただし、この構成は必須ではなく、取付部材（５０）は、第３取付片（５３）を有していなくてもよい。更に、第１取付片（５１）は、底壁（１１）を貫通していなくてもよい。
【０１２１】
第３の態様の取付金具（５）では、第２の態様において、第３取付片（５３）は、凹所（５３１）を有する。凹所（５３１）は、平面視で底壁（１１）に沿って窪んでいる。
【０１２２】
この構成によれば、半田付けにより第３取付片（５３）を基板（７）に接合する場合、凹所（５３１）に半田が広がり易く、フィレットが形成され易い。このため、この構成によれば、第３取付片（５３）を基板（７）に接合する場合に、第３取付片（５３）を基板（７）に対してより強固に接合することができる。ただし、この構成は必須ではなく、第３取付片（５３）は、凹所（５３１）を有していなくてもよい。
【０１２３】
第４の態様の取付金具（５）では、第１〜第３のいずれかの態様において、取付部材（５０）は、第１取付片（５１）及び第２取付片（５２）を１つの組片（５４）として、組片（５４）を複数有する。
【０１２４】
この構成によれば、コネクタ（１０１）に掛かる外力を複数の組片（５４）にて受けることができる。このため、この構成によれば、組片（５４）を１つだけ有している場合と比較して、ハウジング（１）の強度を向上することができる。ただし、この構成は必須ではなく、取付部材（５０）は、組片（５４）を１つだけ有していてもよい。
【０１２５】
第５の態様の取付金具（５）では、第４の態様において、取付部材（５０）は、組片（５４）を２つ有する。２つの組片（５４）は、一対の第１周壁（１２１）にそれぞれ取り付けられる。一対の第１周壁（１２１）は、周壁（１２）のうち複数のコンタクト（２）を配列方向に並んだ状態で保持する。
【０１２６】
この構成によれば、一対の第１周壁（１２１）に掛かる外力を２つの組片（５４）にて受けることができる。このため、この構成によれば、一対の第１周壁（１２１）の強度を向上することができ、結果としてハウジング（１）の強度を向上することができる。ただし、この構成は必須ではなく、組片（５４）は、周壁（１２）のうち一対の第１周壁（１２１）以外の部位に取り付けられていてもよい。
【０１２７】
第６の態様の取付金具（５）では、第４の態様において、取付部材（５０）は、組片（５４）を３つ有する。３つの組片（５４）は、周壁（１２）のうち、一対の第１周壁（１２１）と、第２周壁（１２２）と、にそれぞれ設けられる。一対の第１周壁（１２１）は、複数のコンタクト（２）を配列方向に並んだ状態で保持する。第２周壁（１２２）は、一対の第１周壁（１２１）の端部同士を繋ぐ。
【０１２８】
この構成によれば、一対の第１周壁（１２１）及び第２周壁（１２２）に掛かる外力を３つの組片（５４）にて受けることができる。このため、この構成によれば、一対の第１周壁（１２１）及び第２周壁（１２２）の強度を向上することができ、結果としてハウジング（１）の強度を向上することができる。ただし、この構成は必須ではなく、組片（５４）は、周壁（１２）のうち一対の第１周壁（１２１）及び第２周壁（１２２）以外の部位に取り付けられていてもよい。
【０１２９】
第７の態様の取付金具（５）では、第１〜第６のいずれかの態様において、取付部材（５０）は、基板（７）に接合される接合部（５１１）を更に有する。接合部（５１１）は、第１取付片（５１）の底壁（１１）側の一端に設けられる。
【０１３０】
この構成によれば、取付部材（５０）を基板（７）に接合したときに、第１取付片（５１）の基板（７）に接合されていない部位及び第２取付片（５２）は、基板（７）に固定されない。このため、この構成によれば、取付部材（５０）が反対側部位を有する場合と比較して、コネクタ（１０１）に他コネクタ（１０２）を接続するときに取付部材（５０）に加わる応力を低減することができる。
【０１３１】
すなわち、取付部材（５０）が反対側部位を有する構成では、第１取付片（５１）及び反対側部位は、周壁（１２）を挟み込んでいる。この構成では、反対側部位を基板（７）に接合すると、コネクタ（１０１）に他コネクタ（１０２）を接続するときに、第１取付片（５１）、第２取付片（５２）、及び反対側部位が弾性変形し難い。したがって、この構成では、コネクタ（１０１）に加わる外力を逃がし難い。一方、取付部材（５０）が反対側部位を有していない構成では、コネクタ（１０１）に他コネクタ（１０２）を接続するときに、第１取付片（５１）及び第２取付片（５２）が弾性変形し易い。したがって、この構成では、コネクタ（１０１）に加わる外力を逃がし易く、結果として取付部材（５０）に加わる応力を低減することができる。
【０１３２】
また、この構成によれば、反対側部位を基板（７）に接合する場合と比較して、取付部材（５０）の残留応力を低減することができる。ただし、この構成は必須ではなく、取付部材（５０）は、接合部（５１１）を有していなくてもよい。
【０１３３】
第８の態様のコネクタ（１０１）は、第１〜第７のいずれかの態様の取付金具（５）と、ハウジング（１）と、複数のコンタクト（２）と、を備える。
【０１３４】
この構成によれば、取付金具（５）のハウジング（１）に対する体積比の低減を図ることができるコネクタ（１０１）を実現することができる。
【０１３５】
第９の態様のコネクタ（１０１）では、第８の態様において、ハウジング（１）は、露出部（１１１）を有する。露出部（１１１）は、底壁（１１）の厚さ方向に窪み、取付部材（５０）の一部をハウジング（１）から露出させる。
【０１３６】
この構成によれば、露出部（１１１）から露出する取付部材（５０）の一部を、半田付けにより基板（７）に接合した場合、取付金具（５）を基板（７）により強固に固定することができ、取付金具（５）の強度を更に向上することができる。また、取付金具（５）を一部のコンタクト（２）と同電位に電気的に接続する場合、取付金具（５）のインピーダンスを低減することが可能である。ただし、この構成は必須ではなく、ハウジング（１）は、露出部（１１１）を有していなくてもよい。
【０１３７】
第１０の態様のコネクタ（１０１）では、第８又は第９の態様において、ハウジング（１）は、肉厚部（１８）を更に有する。肉厚部（１８）は、底壁（１１）と、取付部材（５０）のうち底壁（１１）を貫通して周壁（１２）の内側に露出する部位との境界を覆う。
【０１３８】
この構成によれば、コネクタ（１０１）に他コネクタ（１０２）を接続するときに、コネクタ（１０１）に掛かる外力を肉厚部（１８）にて受けることができる。このため、この構成によれば、肉厚部（１８）を有していない場合と比較して、外力が底壁（１１）及び取付部材（５０）に伝わり難く、結果としてハウジング（１）の強度を向上することができる。ただし、この構成は必須ではなく、ハウジング（１）は、肉厚部（１８）を有していなくてもよい。
【０１３９】
第１１の態様のコネクタ（１０１）では、第８〜第１０のいずれかの態様において、ハウジング（１）は、突壁（１９）を更に有する。突壁（１９）は、繋ぎ面（Ｓ３）からハウジング（１）の厚さ方向に突出し、第２取付片（５２）の外側面（Ｓ２）側の一端と対向する。
【０１４０】
この構成によれば、ハウジング（１）の外部から、第２取付片（５２）の繋ぎ面（Ｓ３）に位置する端部（ここでは、第２端）に向かう向きの外力が加わった場合、この外力を突壁（１９）で受け易い。このため、この構成によれば、この外力が第２取付片（５２）に伝わり難く、結果として第２取付片（５２）が変形し難い。ただし、この構成は必須ではなく、ハウジング（１）は、突壁（１９）を有していなくてもよい。
【０１４１】
第１２の態様のヘッダは、第８〜第１１のいずれかの態様のコネクタ（１０１）としてのソケットに接続される他コネクタ（１０２）としてのヘッダである。ヘッダは、ソケットの複数のコンタクト（２）に電気的に接続される複数の他コネクタ側コンタクト（２Ａ）を有する。
【０１４２】
この構成によれば、取付金具（５）のハウジング（１）に対する体積比の低減を図ることができるヘッダを実現することができる。
【０１４３】
第１３の態様の接続システム（１００）は、第８〜第１１のいずれかの態様のコネクタ（１０１）と、他コネクタ（１０２）と、を備える。他コネクタ（１０２）は、複数のコンタクト（２）に電気的に接続される複数の他コネクタ側コンタクト（２Ａ）を有する。
【０１４４】
この構成によれば、取付金具（５）のハウジング（１）に対する体積比の低減を図ることができる接続システム（１００）を実現することができる。
【０１４５】
ところで、コネクタ（１０１）は、上述の第８〜第１１の態様に依らず、以下の第１〜第１６の態様のいずれかの態様の他コネクタ（１０２）と接続される構成であってもよい。つまり、コネクタ（１０１）は、以下の第１〜第１３の態様のいずれかの態様の他コネクタ（１０２）と接続される構成であれば、上述の第８〜第１１の態様のいずれかの態様である必要はない。
【０１４６】
第１の態様の他コネクタ（１０２）は、複数のコンタクト（２Ａ）と、ハウジング（１Ａ）と、接続端子（６）と、を備える。ハウジング（１Ａ）は、複数のコンタクト（２Ａ）を保持する。接続端子（６）は、導電性を有し、コネクタ（１０１）の導電性を有する導電部に電気的に接続可能である。ハウジング（１Ａ）は、底壁（１１Ａ）と、底壁（１１Ａ）を囲む周壁（１２Ａ）と、を有する。周壁（１２Ａ）は、一対の第１周壁（１２１Ａ）と、一対の第２周壁（１２２Ａ）と、を有する。一対の第１周壁（１２１Ａ）は、少なくとも一方が複数のコンタクト（２Ａ）を配列方向に並んだ状態で保持する。一対の第２周壁（１２２Ａ）は、それぞれ一対の第１周壁（１２１Ａ）の端部同士を繋ぐ。接続端子（６）は、一部が一対の第２周壁（１２２Ａ）のうち少なくとも１つの第２周壁（１２２Ａ）に保持される。接続端子（６）のうちハウジング（１Ａ）に保持されていない部位の少なくとも一部は、導電部に接する部位であり、弾性変形可能である。
【０１４７】
この構成によれば、コネクタ（１０１）を他コネクタ（１０２）に接続するときに、複数のコンタクト（２Ａ）だけでなく、接続端子（６）もコネクタ（１０１）の導電部に電気的に接続することが可能である。また、この構成によれば、コネクタ（１０１）が他コネクタ（１０２）に接続されている状態において、接続端子（６）がコネクタ（１０１）の導電部に弾性力を与えながら接触する。したがって、この構成によれば、コネクタ（１０１）との電気的接続の信頼性の向上を図ることができる。
【０１４８】
また、第２の態様の他コネクタ（１０２）では、第１の態様において、複数のコンタクト（２Ａ）は、一対の第１周壁（１２１Ａ）の各々に設けられる。
【０１４９】
この構成によれば、コネクタ（１０１）の第１方向（左右方向）に沿った向きを問わず、コネクタ（１０１）を他コネクタ（１０２）に電気的に接続することができる。ただし、この構成は必須ではなく、複数のコンタクト（２Ａ）は、一対の第１周壁（１２１Ａ）のうち一方だけに設けられていてもよい。
【０１５０】
また、第３の態様の他コネクタ（１０２）では、第１又は第２の態様において、接続端子（６）は、一対の第２周壁（１２２Ａ）の各々に設けられる。
【０１５１】
この構成によれば、コネクタ（１０１）の第１方向（左右方向）に沿った向きを問わず、コネクタ（１０１）を他コネクタ（１０２）に電気的に接続することができる。ただし、この構成は必須ではなく、接続端子（６）は、一対の第２周壁（１２２Ａ）のうち一方だけに設けられていてもよい。
【０１５２】
また、第４の態様の他コネクタ（１０２）では、第１〜第３のいずれかの態様において、接続端子（６）は、主片（６１）と、対向片（６２）と、繋ぎ片（６３）と、を有する。主片（６１）は、ハウジング（１Ａ）に保持される。対向片（６２）は、主片（６１）と間隔を空けて対向し、第２周壁（１２２Ａ）から露出する。繋ぎ片（６３）は、主片（６１）及び対向片（６２）の端部同士を繋ぐ。
【０１５３】
この構成によれば、主片（６１）と対向片（６２）との間に隙間があることから、対向片（６２）が弾性変形し易く、また、塑性変形し難い。ただし、この構成は必須ではなく、例えば、主片（６１）及び繋ぎ片（６３）がハウジング（１Ａ）に保持され、対向片（６２）だけがハウジング（１Ａ）に保持されない構成であってもよい。その他、接続端子（６）は、主片（６１）を有さずに、繋ぎ片（６３）がハウジング（１Ａ）に保持され、対向片（６２）だけがハウジング（１Ａ）に保持されない構成であってもよい。
【０１５４】
また、第５の態様の他コネクタ（１０２）では、第４の態様において、接続端子（６）は、基板（７）に接合される接合部（６１１）を更に有する。接合部（６１１）は、主片（６１）の底壁（１１Ａ）側の一端に設けられる。
【０１５５】
この構成によれば、半田付けにより接合部（６１１）を基板（７）に接合することで、接続端子（６）を基板（７）に固定することができる。このため、この構成によれば、接合部（６１１）を有していない場合と比較して、接続端子（６）の強度を向上することができる。ただし、この構成は必須ではなく、接続端子（６）は、接合部（６１１）を有していなくてもよい。つまり、接続端子（６）は、基板（７）に固定されていなくてもよい。
【０１５６】
また、第６の態様の他コネクタ（１０２）では、第５の態様において、主片（６１）は、延長片（６１３）を有する。延長片（６１３）は、主片（６１）の底壁（１１Ａ）側の一端から底壁（１１Ａ）に沿って延びている。接合部（６１１）は、延長片（６１３）に更に設けられる。
【０１５７】
この構成によれば、延長片（６１３）の分だけ、接続端子（６）のうち基板（７）に固定される部位の面積が増大する。このため、この構成によれば、延長片（６１３）を有していない場合と比較して、接続端子（６）を基板（７）により強固に固定することができ、接続端子（６）の強度を更に向上することができる。ただし、この構成は必須ではなく、主片（６１）は、延長片（６１３）を有していなくてもよい。また、主片（６１）が延長片（６１３）を有している場合であっても、延長片（６１３）には、接合部（６１１）が設けられていなくてもよい。
【０１５８】
また、第７の態様の他コネクタ（１０２）は、第１〜第６のいずれかの態様において、ハウジング（１Ａ）に取り付けられる取付金具（５Ａ）を更に備える。一対の第２周壁（１２２Ａ）のうち接続端子（６）が設けられる第２周壁（１２２Ａ）は、取付金具（５Ａ）をインサート品とするインサート成形品である。
【０１５９】
この構成によれば、取付金具（５Ａ）により第２周壁（１２２Ａ）の強度が向上するので、取付金具（５Ａ）が取り付けられる第２周壁（１２２Ａ）に加えられる応力が、この第２周壁（１２２Ａ）に設けられた接続端子（６）に伝わり難い。このため、この構成によれば、接続端子（６）が塑性変形し難い。また、この構成によれば、接続端子（６）の形状が変化し難いので、接続端子（６）の第２周壁（１２２Ａ）に対する位置ずれを低減することができる。また、例えば半田付けにより取付金具（５Ａ）が基板（７）に固定される場合、第２周壁（１２２Ａ）も基板（７）に対して固定されるので、この第２周壁（１２２Ａ）に設けられる接続端子（６）が第２周壁（１２２Ａ）により保持され易くなる。ただし、この構成は必須ではなく、取付金具（５Ａ）は、第２周壁（１２２Ａ）に押し込むことにより、第２周壁（１２２Ａ）に取り付けられてもよい。また、他コネクタ（１０２）は、取付金具（５Ａ）を備えていなくてもよい。
【０１６０】
また、第８の態様の他コネクタ（１０２）では、第４の態様において、対向片（６２）は、一対の第２周壁（１２２Ａ）が並ぶ方向に沿った向きに突出する突部（６２１）を有する。
【０１６１】
この構成によれば、コネクタ（１０１）が他コネクタ（１０２）に接続されている状態において、接続端子（６）は、突部（６２１）を有していない場合よりもコネクタ（１０１）の導電部に接触し易い。このため、この構成によれば、接続端子（６）及び導電部の接触部位の接触抵抗を小さくすることができ、接続端子（６）に電流を流れ易くすることができる。また、この構成によれば、異物による接触不良が生じる可能性を低減することができる。すなわち、コネクタ（１０１）に他コネクタ（１０２）を接続するときに、突部（６２１）が導電部の表面を擦りながら動くために、突部（６２１）及び導電部の表面に付着している異物を除去することが可能である。ただし、この構成は必須ではなく、接続端子（６）は、突部（６２１）を有していなくてもよい。
【０１６２】
また、第９の態様の他コネクタ（１０２）では、第８の態様において、突部（６２１）は、底壁（１１Ａ）と直交する方向に沿って延びている。
【０１６３】
この構成によれば、突部（６２１）におけるコネクタ（１０１）の導電部との接触面積が増大する。このため、この構成によれば、接続端子（６）及び導電部の接触部位の接触抵抗をより小さくすることができ、接続端子（６）に電流を流れ易くすることができる。また、この構成によれば、コネクタ（１０１）に他コネクタ（１０２）を接続するときに、突部（６２１）が底壁（１１Ａ）と直交する方向に延びていない場合と比較して、突部（６２１）が導電部の表面を擦る面積が増大する。このため、この構成によれば、突部（６２１）及び導電部の表面に付着している異物を除去し易く、異物による接触不良が生じる可能性をより低減することができる。ただし、この構成は必須ではなく、突部（６２１）は、底壁（１１Ａ）と直交する方向に延びていなくてもよい。
【０１６４】
また、第１０の態様の他コネクタ（１０２）では、第４の態様において、接続端子（６）は、対向片（６２）を複数有する。
【０１６５】
この構成によれば、接続端子（６）が１つの対向片（６２）だけを有している場合と比較して、接続端子（６）とコネクタ（１０１）の導電部との電気的接続の信頼性を向上することができる。ただし、この構成は必須ではなく、接続端子（６）は、１つの対向片（６２）だけを有していてもよい。
【０１６６】
また、第１１の態様の他コネクタ（１０２）では、第１〜第１０のいずれかの態様において、接続端子（６）は、一部が一対の第２周壁（１２２Ａ）のうち少なくとも１つの第２周壁（１２２Ａ）に押し込まれることでハウジング（１Ａ）に保持される。
【０１６７】
この構成によれば、第２周壁（１２２Ａ）に対して接続端子（６）を押し込むという簡易なプロセスにより、一部が弾性変形可能な接続端子（６）をハウジング（１Ａ）に設けることが可能である。ただし、この構成は必須ではなく、接続端子（６）は、他の手段によりハウジング（１Ａ）に保持されていてもよい。
【０１６８】
また、第１２の態様の他コネクタ（１０２）では、第４の態様において、接続端子（６）は、一部が一対の第２周壁（１２２Ａ）のうち少なくとも１つの第２周壁（１２２Ａ）に押し込まれることでハウジング（１Ａ）に保持される。主片（６１）は、避け部（６１０）を有する。避け部（６１０）は、主片（６１）の繋ぎ片（６３）に繋がる一端の角部に設けられて、接続端子（６）を第２周壁（１２２Ａ）に押し込む向きとは反対の向きに窪んでいる。
【０１６９】
この構成によれば、主片（６１）を第２周壁（１２２Ａ）に押し込むときに、第２周壁（１２２Ａ）の一部が削られ難い。このため、この構成によれば、第２周壁（１２２Ａ）が削られることで発生する異物が生じ難く、接続端子（６）に異物が付着し難い。ただし、この構成は必須ではなく、主片（６１）は避け部（６１０）を有していなくてもよい。
【０１７０】
また、第１３の態様の他コネクタ（１０２）では、第５の態様において、主片（６１）は、凹部（６１２）を更に有する。凹部（６１２）は、主片（６１）の底壁（１１Ａ）側の一端に設けられて、底壁（１１）側の一端から他端に向かって窪んでいる。
【０１７１】
この構成によれば、半田付けにより接合部（６１１）を基板（７）に接合するときに、凹部（６１２）に半田が広がり易く、フィレットが形成され易い。このため、この構成によれば、主片（６１）を基板（７）に対してより強固に接合することができる。ただし、この構成は必須ではなく、主片（６１）は凹部（６１２）を有していなくてもよい。
【０１７２】
また、第１４の態様の他コネクタ（１０２）では、第１〜第１０、及び第１３のいずれかの態様において、ハウジング（１Ａ）は、接続端子（６）をインサート品とするインサート成形品である。
【０１７３】
この構成によれば、インサート成形という簡易なプロセスにより、一部が弾性変形可能な接続端子（６）をハウジング（１Ａ）に設けることが可能である。ただし、この構成は必須ではなく、接続端子（６）は、他の手段によりハウジング（１Ａ）に保持されていてもよい。
【０１７４】
また、第１５の態様の他コネクタ（１０２）では、第４の態様において、ハウジング（１Ａ）は、接続端子（６）をインサート品とするインサート成形品である。ハウジングは、主片（６１）と対向片（６２）との間に設けられる壁部（１５）を更に有している。
【０１７５】
この構成によれば、仮に対向片（６２）が過度に弾性変形しようとしても、対向片（６２）が壁部（１５）に接することにより、対向片（６２）の移動が制限される。つまり、この構成によれば、対向片（６２）が過度に弾性変形する可能性を低減することができる。ただし、この構成は必須ではなく、ハウジング（１Ａ）は、壁部（１５）を有していなくてもよい。
【０１７６】
また、第１６の態様の他コネクタ（１０２）では、第１〜第１５のいずれかの態様において、複数のコンタクト（２Ａ）のうち一部のコンタクト（２Ａ）は、接続端子（６）と同電位に電気的に接続されるように構成されている。
【０１７７】
この構成によれば、接続端子（６）を一部のコンタクト（２Ａ）として機能させることができる。そして、この構成によれば、一部のコンタクト（２Ａ）に流れる電流が接続端子（６）に分岐するため、接続端子（６）を含めた一部のコンタクト（２Ａ）の定格電流を大きくすることができる。
【０１７８】
例えば、接続端子（６）が電源端子（４Ａ）と同電位に電気的に接続されていると仮定する。この構成では、接続端子（６）は、電源端子（４Ａ）として機能する。また、この構成では、接続端子（６）と電源端子（４Ａ）とに分かれて電流が流れるので、接続端子（６）を含めた電源端子（４Ａ）の定格電流を大きくすることができる。
【０１７９】
ここで、接続端子（６）が電源端子（４Ａ）と同電位に電気的に接続されており、かつ、接続端子（６）が突部（６２１）を有している場合、又は底壁（１１Ａ）と直交する方向に延びている突部（６２１）を有している場合、以下のような利点がある。すなわち、これらの場合、突部（６２１）により接続端子（６）及びコネクタ（１０１）の導電部の接触部位の接触抵抗が小さくなるため、接続端子（６）に電流が流れ易くなる。このため、接続端子（６）と電源端子（４Ａ）とに均等に電流が流れ易くなり、電源端子（４Ａ）に集中して電流が流れ難くなる。その結果として、接続端子（６）を含めた電源端子（４Ａ）の定格電流をより大きくすることが可能である。
【０１８０】
以上、実施形態に係るコネクタ１０１、他コネクタ１０２、及び接続システム１００について説明した。ただし、以上に説明した実施形態は、本発明の様々な実施形態の一つに過ぎない。上記の実施形態は、本発明の目的を達成できれば、設計等に応じて種々の変更が可能である。
【符号の説明】
【０１８１】
１  ハウジング
１１  底壁
１１１  露出部
１２  周壁
１２１  第１周壁
１２２  第２周壁
１８  肉厚部
１９  突壁
２  コンタクト
２Ａ  他コネクタ側コンタクト
５  取付金具
５０  取付部材
５１  第１取付片
５１１  接合部
５２  第２取付片
５３  第３取付片
５３１  凹所
５４  組片
７  基板
１００  接続システム
１０１  コネクタ
１０２  他コネクタ
Ｓ１  内側面
Ｓ２  外側面
Ｓ３  繋ぎ面
【図１】
2018133334.tif 000003
【図２】
2018133334.tif 000004
【図３】
2018133334.tif 000005
【図４】
2018133334.tif 000006
【図５】
2018133334.tif 000007
【図６】
2018133334.tif 000008
【図７】
2018133334.tif 000009
【図８】
2018133334.tif 000010
【図９】
2018133334.tif 000011
【図１０】
2018133334.tif 000012
【図１１】
2018133334.tif 000013
【図１２】
2018133334.tif 000014
【図１３】
2018133334.tif 000015
【図１４】
2018133334.tif 000016
【図１５】
2018133334.tif 000017
【図１６】
2018133334.tif 000018
【図１７】
2018133334.tif 000019
【図１８】
2018133334.tif 000020
【図１９】
2018133334.tif 000021
【図２０】
2018133334.tif 000022
【図２１】
2018133334.tif 000023
【図２２】
2018133334.tif 000024
【図２３】
2018133334.tif 000025
【図２４】
2018133334.tif 000026
【図２５】
2018133334.tif 000027
【図２６】
2018133334.tif 000028
【図２７】
2018133334.tif 000029
【図２８】
2018133334.tif 000030
【図２９】
2018133334.tif 000031
【図３０】
2018133334.tif 000032
【図３１】
2018133334.tif 000033
【図３２】
2018133334.tif 000034